(57)【特許請求の範囲】
【請求項１】
挿入口より挿入されたディスクをフラップとローラとの間で挟持し、前記ローラの回転により前記ディスクを搬送して、クランパーとターンテーブルとの間に前記ディスクを挟み込むようにしてなるディスクローディング装置において、
前記挿入口に設けられ、前記ディスクの挿入時に該ディスクを前記挿入口に案内する斜面と、
前記ディスクの挿入時に該ディスクが前記クランパー及び前記ターンテーブルに接触しないように、前記挿入口の左右端における開口を規制する肉盛と、
を備え、
前記斜面は、前記挿入口の上面及び下面の前縁部に設けられ、
前記肉盛は、前記挿入口の前記上面及び前記下面に設けられ、前記挿入口の前記上面の左右端に設けられる肉盛は前記下面の左右端に設けられる肉盛よりも厚く、
前記挿入口の前記上面及び前記下面において中央と左右端は滑らかな曲線で繋がれており、
前記挿入口の前記上面及び前記下面における前記滑らかな曲線の中央では、前記上面における前記滑らかな曲線の中央と前記下面における前記滑らかな曲線の中央との間の上下方向の長さが、前記挿入口の前記上下方向の中央に対して均等に振り分けられることを特徴とするディスクローディング装置。
【発明の詳細な説明】
【技術分野】
【０００１】
本発明は、ＣＤ，ＤＶＤ等のディスクを保持して当該ディスクをターンテーブルに載置する、ディスクローディング装置に関するものである。
【背景技術】
【０００２】
従来より、このようなディスクに対して記録或いは再生を行うディスクプレーヤとして、例えばケース外面に設けられたディスク挿入口からディスクを挿入することにより、このディスクを所定位置に自動で搬入する形式の、いわゆるスロットインモデルのディスクローディング装置を備えたディスクプレーヤが知られている。
【０００３】
このようなディスクプレーヤは、上記ディスクローディング装置によって、前記挿入口に挿入されたディスクを、ターンテーブル上の所定位置に移動させ、クランパーによりこのディスクをターンテーブル上に固定保持するようになっている。そして、ターンテーブルを回転駆動することによりディスクを回転させ、回転するディスクの記録面に対してピックアップにより信号を書き込み或いは読み出す構成としている。
【０００４】
図６は、従来のディスクローディング装置の概略右側面断面図である。同図に示すように、本例のディスクローディング装置においては、例えばＰＳ（ポリスチレン）等の樹脂材料よりなるフロントパネル１の後方に、図示しないフラップがシーソー様に前後に回動自在に取り付けられ、またターンテーブル２が図示しないシャーシの中心付近に配設されている。同図に示すように、ディスクＤがフロントパネル１に形成される挿入口１ａから挿入されると、図示しないフラップとその下側に設けたローラ３との間に、ディスクＤが挟み込まれ、この状態でローラ３が回転すると、ディスクＤがシャーシの内部へと引き込まれる。
【０００５】
ここで、上記ローラ３はシャーシの前部で左右方向に延在しており、比較的径が小さい中央部分から左右両側に向かって、テーパ状に漸次径が大きくなるいわゆる略鼓形状に形成されている。この形状により、ローラ３の回転により搬送されるディスクＤは、搬送方向に垂直な方向に関して、内側に向かう力を受けることになる。従ってディスクＤは、挿入時に左或いは右にずれていたとしても、ローラ３による搬送の際に、ローラ３の形状に基づいてセンタリングが行われ得る。
【０００６】
さて、挿入口１ａから挿入されたディスクＤは、シャーシ内部に搬送され、センタリングされつつ更に奥側に搬送される。そして、所定の位置まで搬送されたときに、チャッキング開始のトリガーがかかる。このとき、ディスクＤの中心孔が、ターンテーブル２の真上に位置し、またクランパー４の真下に位置しているので、ターンテーブル２を搭載した図示しないトラバースメカが上昇することにより、クランパー４とターンテーブル２との間にディスクＤが挟み込まれ、チャッキングが終了する仕組みである。
【０００７】
その他、部品点数を増加させることなく、しかも装置全体の薄型化および小型化を図りつつ、ディスクの搬送姿勢の安定化を図るとしたディスク装置が、特許文献１に開示されている。具体的には、ディスク挿入口から挿入されるディスク状記憶媒体を挟持して装置本体内方に搬送するディスク搬送保持部材と、前記ディスク搬送保持部材によって搬送されてきた前記ディスク状記憶媒体の前端部を保持可能な第１ディスク保持部材と、前記装置本体内方の所定位置に搬送された前記ディスク状記憶媒体の後端部を保持可能な第２ディスク保持部材と、前記ディスク状記憶媒体が前記第１ディスク保持部材に安定保持されるように該ディスク状記憶媒体の搬送姿勢を規制するディスク規制保持部材とを備えた構成としている。
【０００８】
そしてこの構成により、以下の効果が得られるとしている。即ち、ディスク状記憶媒体の搬送姿勢の規制をディスク搬送保持部材に加えてディスク規制保持部材によっても行うため、ディスク状記憶媒体は第１ディスク保持部材に確実に保持される。また、ディスク規制保持部材はディスク状記憶媒体の保持搬送にも兼用されるため部品点数の増加を招くことなくディスク状記憶媒体の搬送姿勢の安定化を図ることができる。さらに、ディスク規制保持部材とディスク搬送保持部材との間に距離を設定することができるため、装置全体の薄型化および小型化を図ることができる。
【０００９】
また、複数枚のディスクを取り外し可能なマガジンなしで収納して各々動作する、即ち各々のディスクを選択的に搬入、搬出または再生等の動作をするよう構成し、小型化が図れるとしたディスク装置が、特許文献２に開示されている。そして、使用者がどのような向きでディスクを挿入しようとも、ディスク挿入時にディスク搬送路へ正確に案内するよう規制できるので、ディスク装置の搬送エラーや再生エラー等の誤動作を防止することができ、装置の信頼性が向上するとしている。
【００１０】
具体的には、ディスクを装置内へ挿入または装置外へ排出を行う際に、回動可能なディスクローラとディスクとが当接し、ディスクを装置内外に搬送するとともに、装置内のディスク搬送路に沿って移動可能なディスクローラ機構部と、一端が装置に形成されたディスクの挿入口近傍の上方に取り付けられ、他端がディスク挿入口と対面するディスクローラ機構部のディスク搬送路の上方の一部に取り付けられるとともに、ディスクの挿入または排出時にディスクがディスク搬送路上方に移動することを規制する第１のディスク移動規制手段と、一端が装置に形成されたディスクの挿入口近傍の下方に取り付けられ、他端がディスク挿入口と対面するディスクローラ機構部のディスク搬送路の下方の一部に取り付けられるとともに、ディスクの挿入または排出時にディスクがディスク搬送路下方に移動することを規制する第２のディスク移動規制手段とを備えた構成としている。
【００１１】
また、大きさの異なるディスクの表面に傷を付けることなく薄型化を図ることができるとしたディスクローディング装置が、特許文献３に開示されている。具体的には、ディスクの挿入口に配置されて挿入口内に搬入されたディスクが通過できるようにディスクの外縁を保持する第１の保持手段と、この第１の保持手段により保持されたディスクを所定位置に搬送する搬送手段と、挿入口の奥側に配置されて第１の保持手段により保持され搬送手段により搬送されるディスクの外縁を保持する第２の保持手段と、ディスクを所定位置で回転させる回転手段を備えた構成としている。
【００１２】
そしてこの構成により、以下の効果が得られるとしている。即ち、ディスクの搬送中第１の保持手段と第２の保持手段でディスクの外縁を保持するので、装置内のディスクの高さおよび位置を規制することができる。このため、装置内の部材とディスクとの接触を回避し各ディスクの表面に傷を付けないために、搬送されるディスクと装置内の部材の距離を大きく設計する必要が無いので装置の薄型化が図れ、しかも大きさの異なるディスクに適用できる。
【００１３】
また、ディスク状記録媒体を厚さにかかわらず挿入口に安定に支持することができるとしたディスク装置が、特許文献４に開示されている。具体的には、ディスク状記録媒体が挿入される挿入口に該ディスク状記録媒体を移動可能に支持する支持手段を有し、該挿入口から挿入されたディスク状記録媒体に対して情報の読み出し又は書き込みを行うディスク装置において、前記支持手段は、前記挿入口に挿入されるディスク状記録媒体のディスク面に対し、ディスク中央に向かうに従ってディスク面から離間する方向に傾斜する傾斜部を有し、且つ前記傾斜部が前記挿入口に挿入される前記ディスク状記録媒体の最外周の縁に当接して前記ディスク状記録媒体をディスク面延在方向に移動可能に支持する構成としている。
【００１４】
そしてこの構成によれば、支持手段が挿入口に挿入されるディスク状記録媒体のディスク面に対し、ディスク中央に向かうに従ってディスク面から離間する方向に傾斜する傾斜部を有し、且つ傾斜部が挿入口に挿入されるディスク状記録媒体の最外周の縁に当接してディスク状記録媒体をディスク面延在方向に移動可能に支持するため、ディスクの厚さが薄かったり、あるいは厚かったりしてもディスク状記録媒体の最外周の縁を安定的に支持することができるとしている。
【特許文献１】特開２００５−８５４４０号公報
【特許文献２】Ｗ０２００２／０２５６５０号公報
【特許文献３】特開２００２−７４８００号公報
【特許文献４】特開平１１−１２０６５８号公報
【発明の開示】
【発明が解決しようとする課題】
【００１５】
しかしながら、上記図６に示したような従来の構成では、フロントパネル１の正面において、左右方向にスリット状に延びる挿入口１ａの、上下方向の開口が比較的広くなっていたので、ディスクＤを前後に傾けて挿入すると、ターンテーブル２やクランパー４にディスクＤが接触してしまい、ディスクＤの下面或いは上面にキズが付くという不具合が生じるおそれがあった。また、ディスクが傾いて搬送されるため姿勢が悪く、ユーザーに不快感を与えるという問題もあった。
【００１６】
具体的には同図において、まず、ディスクＤが破線で示すＤ１のように、挿入口１ａの上下部に接触せず水平状態であれば、ターンテーブル２とクランパー４との間に、接触せずに搬送される。ところが、Ｄ２のように挿入口１ａの上部に接触しつつ、ローラ３を支点として前方に傾いた状態になると、ディスクＤの下面がターンテーブル２の頂部に接触してキズが付くおそれがある。また、Ｄ３のように挿入口１ａの下部に接触しつつ、ローラ３を支点として後方に傾いた状態になると、ディスクＤの上面がクランパー４の下部に接触してキズが付くおそれがある。
【００１７】
その他、上記各引用文献に記載のような構成では、いずれの構造も複雑且つ大掛かりであり、コストアップとなる上に、製造時や使用時におけるトラブルの要因となるおそれがある。本発明は、以上のような問題点に鑑み、簡単な構成で、ディスクの挿入時にディスクが傾くことを抑制し、内部の部品と接触することを防止したディスクローディング装置を提供することを目的とする。
【課題を解決するための手段】
【００１８】
上記目的を達成するために、本発明では、挿入口より挿入されたディスクをフラップとローラとの間で挟持し、前記ローラの回転により前記ディスクを搬送して、クランパーとターンテーブルとの間に前記ディスクを挟み込むようにしてなるディスクローディング装置において、前記挿入口の左右端における開口を肉盛により規制し、前記ディスクの挿入時に該ディスクが前記クランパー及びターンテーブルに接触しないようにしてなることを特徴とする。
【００１９】
また、前記挿入口の中央と左右端は滑らかな曲線で繋がれていることを特徴とする。
【発明の効果】
【００２０】
本発明によれば、簡単な構成で、ディスクの挿入時にディスクが傾くことを抑制し、内部の部品と接触することを防止したディスクローディング装置を提供することができる。
【００２１】
具体的には、ディスクをどのような姿勢で挿入しても、挿入口の左右端に設けられた肉盛に規制され、クランパーやターンテーブルとの間には十分な隙間が生じるので、ディスクがこれらに接触することはなくなる。
【００２２】
また、挿入口の中央部には上下に余裕のある開口が設けられ、左右端とは円弧等の滑らかな曲線で繋がれているので、従来と同様にディスクが十分挿入しやすいものとなっている。
【発明を実施するための最良の形態】
【００２３】
以下、本発明の実施の形態について、図面を参照しながら説明する。なお、上記従来の技術と同様の機能を有する部分には同一の符号を付して、詳細な説明を適宜省略する。
【実施例１】
【００２４】
図１は、本発明の実施例１に係るディスクローディング装置の挿入口の正面図である。本実施例では同図の斜線部で示すように、従来の挿入口の上下面に肉盛を施し、上下非対称に開口した構成としている。具体的には、フロントパネル１の挿入口１ａにおいて、開口部の左右方向の長さは１２５ｍｍ（ｃ寸法）であり、上下方向の長さが中央ではセンター振り分けで４．６ｍｍ（ｄ寸法）であって、左右端では中心から上方に０．３５ｍｍ（ｅ寸法）、下方に１．３５ｍｍ（ｆ寸法）で計１．７ｍｍとなっており、中央と左右端は円弧で繋がれた形状となっている。但し、円弧に限定されるものではなく、その他の滑らかな曲線等としても良い。
【００２５】
図２は、この挿入口の左右端における右側面断面図である。ここでは斜線で示すように、挿入口１ａの上面には高さ１．４５ｍｍの肉盛ａが施され、下面には高さ０．４５ｍｍの肉盛ｂが施されており、結果的に挿入口１ａの上下方向の長さが上述したように１．７ｍｍとなっている。これは、厚さ１．２ｍｍのディスクＤが通過するのには十分な開口となっている。また、挿入口１ａの上下面前縁部それぞれよりフロントパネル１の前面にかけて、ディスクＤの挿入時にこれを案内する斜面１ｂが設けられている。
【００２６】
図３〜図５は、本実施例のディスクローディング装置の概略右側面断面図であり、ディスク挿入時の状態を示している。同図に示すように、本実施例のディスクローディング装置においては、フロントパネル１の後方にフラップ６が、シーソー様に前後に回動自在に取り付けられ、またターンテーブル２が図示しないシャーシの中心付近に配設されている。同図に示すように、ディスクＤがフロントパネル１に形成される挿入口１ａから挿入されると、フラップ６とその下側に設けたローラ３との間に、ディスクＤが挟み込まれ、この状態でローラ３が回転すると、ディスクＤがシャーシの内部へと引き込まれる。
【００２７】
そして、ディスクＤはシャーシ内部に搬送され、センタリングされつつ更に奥側に搬送される。そして、所定の位置まで搬送されたときに、チャッキング開始のトリガーがかかる。このとき、ディスクＤの中心孔が、ターンテーブル２の真上に位置し、またクランパー４の真下に位置しているので、ターンテーブル２を搭載したトラバースメカ５が上昇することにより、クランパー４とターンテーブル２との間でディスクＤが挟み込まれ、チャッキングが終了する仕組みである。
【００２８】
さて、図３に示すように、ディスクＤが挿入口１ａに無接触で水平に挿入された場合、ディスクＤとクランパー４との隙間を示すＡ寸法は図面上で０．８ｍｍ、ディスクＤとターンテーブル２との隙間を示すＢ寸法は図面上で１．５４ｍｍとなる。また、図４に示すように、ディスクＤが挿入口１ａの下側に接触しつつ若干上向きに挿入された場合、Ａ寸法は図面上で０．５６ｍｍとなる。そして、図５に示すように、ディスクＤが挿入口１ａの上側に接触しつつ若干下向きに挿入された場合、Ｂ寸法は図面上で１．２８ｍｍとなる。
【００２９】
このように、本実施例の構成によれば、ディスクをどのような姿勢で挿入しても、挿入口の左右端に設けられた肉盛に規制され、クランパーやターンテーブルとの間には十分な隙間が生じるので、ディスクがこれらに接触することはなくなる。また、挿入口の中央部には上下に余裕のある開口が設けられ、左右端とは円弧等の滑らかな曲線で繋がれているので、従来と同様にディスクが十分挿入しやすいものとなっている。
【図面の簡単な説明】
【００３０】
【図１】本発明の実施例１に係るディスクローディング装置の挿入口の正面図。
【図２】挿入口の左右端における右側面断面図。
【図３】本実施例のディスクローディング装置の概略右側面断面図（無接触）。
【図４】本実施例のディスクローディング装置の概略右側面断面図（下側接触）。
【図５】本実施例のディスクローディング装置の概略右側面断面図（上側接触）。
【図６】従来のディスクローディング装置の概略右側面断面図。
【符号の説明】
【００３１】
１    フロントパネル
１ａ    挿入口
１ｂ    斜面
２    ターンテーブル
３    ローラ
４    クランパー
５    トラバースメカ
６    フラップ
Ｄ    ディスク
【図１】
0004810983.tif 000002
【図２】
0004810983.tif 000003
【図３】
0004810983.tif 000004
【図４】
0004810983.tif 000005
【図５】
0004810983.tif 000006
【図６】
0004810983.tif 000007